(57)【特許請求の範囲】
【請求項１】
その側面に複数の蒸散孔３又はその長手方向に沿い複数の細長形状の蒸散溝を有する透光性合成樹脂でなる筒体２を離間させ，各筒体２を平行にして配列する構成と１０ｍｍ以上３０ｍｍ以下の間隔をもって設けられた開孔を有する筒体上部支持体５と１０ｍｍ以上３０ｍｍ以下の間隔をもって設けられた開孔又は凹部を有する筒体下部支持体６に前記筒体２の上端と下端を挿入・固定する構成と前記筒体上部支持体５の側面に給水槽７を付設する構成と水蒸発部材４の一端を前記給水槽７内に，その中間部を前記給水槽上端と前記筒体上端と前記筒体支持体５のそれぞれに設けられた懸架溝に懸架し，前記中間部から延伸する前記筒体２内の水蒸発部材４の中間部を前記筒体２の長手方向に沿わせ，その他端を前記筒体下部に位置せしめて配設する構成からなる日除け構造体。
【請求項２】
その側面に複数の蒸散孔３又はその長手方向に沿い複数の細長形状の蒸散溝を有する筒体２を離間させ，各筒体２を平行にして配列する構成と１０ｍｍ以上３０ｍｍ以下の間隔をもって設けられた開孔を有する筒体上部支持体５と１０ｍｍ以上３０ｍｍ以下の間隔をもって設けられた開孔又は凹部を有する筒体下部支持体６に前記筒体２の上端と下端を挿入・固定する構成と前記筒体上部支持体５の側面に給水槽７を付設する構成と水蒸発部材４の一端を前記給水槽内に，その中間部を給水槽上端と筒体上端と筒体上部支持体５のそれぞれに設けられた懸架溝に懸架し，前記中間部から延伸する筒体２内に配設する水蒸発部材４を間隔をとって二列とし水蒸発部材４の中間部を筒体２の長手方向に沿わせ，その他端を筒体下部に位置せしめて配設する構成からなる日除け構造体。
【発明の詳細な説明】
【０００１】
【発明の属する技術分野】
本発明は太陽光及び太陽熱をさえぎると共に太陽光及び太陽熱からもたらされる太陽エネルギーを吸収して冷気を発生させる従来の簾に代わる日除け構造体に係るものである。
【０００２】
【従来の技術】
特に夏季において強い日差しをさえぎり屋内の気温上昇抑制を図るために用いられるものとして図３に示すような竹のひご２２やビニール管などを糸で編みつないだいわゆる簾２１がある。
前記簾２１は家屋等の軒下に立て掛けたり吊したりして配設され，通風性を具有させて屋内に入り込む太陽光及び太陽熱をさえぎるために用いられるものである。ところで前記簾２１は通風性を具有させて単に太陽光及び太陽熱をさえぎるにすぎないものであるため屋内の気温上昇抑制はある程度は達せられても十分なものとはいえない。
【０００３】
【発明が解決しようとする課題】
本発明は前記従来の簾２１が有する屋内の気温上昇抑制効果不十分なる問題点の解決を図ることを課題とするものである。即ち具体的には前記従来の簾２１がもたらす通風性を具有し単に太陽光及び太陽熱をさえぎるという効果に加え，何ら人工的エネルギー供給をすることなく屋内の気温上昇を一段と抑制せしめた従来の簾２１に代わる日除け構造体を提供せんとするものである。
【０００４】
【課題を解決するための手段】
以下，図１及び図２を用いてその手段等を説明する。
本発明に係る日除け構造体１はその側面に複数の蒸散孔３又はその長手方向に沿い複数の細長形状の蒸散溝を有する透光性合成樹脂でなる筒体２を離間させ，各筒体２を平行にして配列する構成と１０ｍｍ以上３０ｍｍ以下の間隔をもって設けられた開孔を有する筒体上部支持体５と１０ｍｍ以上３０ｍｍ以下の間隔をもって設けられた開孔又は凹部を有する筒体下部支持体６に前記筒体２の上端と下端を挿入・固定する構成と前記筒体上部支持体５の側面に給水槽７を付設する構成と水蒸発部材４の一端を前記給水槽７内に，その中間部を前記給水槽上端と前記筒体上端と前記筒体支持体５のそれぞれに設けられた懸架溝に懸架し，前記中間部から延伸する前記筒体２内の水蒸発部材４の中間部を前記筒体２の長手方向に沿わせ，その他端を前記筒体下部に位置せしめて配設する構成からならしめるものである。
また課題を解決するための別の手段として本発明に係る日除け構造体１はその側面に複数の蒸散孔３又はその長手方向に沿い複数の細長形状の蒸散溝を有する筒体２を離間させ，各筒体２を平行にして配列する構成と１０ｍｍ以上３０ｍｍ以下の間隔をもって設けられた開孔を有する筒体上部支持体５と１０ｍｍ以上３０ｍｍ以下の間隔をもって設けられた開孔又は凹部を有する筒体下部支持体６に前記筒体２の上端と下端を挿入・固定する構成と前記筒体上部支持体５の側面に給水槽７を付設する構成と水蒸発部材４の一端を前記給水槽内に，その中間部を給水槽上端と筒体上端と筒体上部支持体５のそれぞれに設けられた懸架溝に懸架し，前記中間部から延伸する筒体２内に配設する水蒸発部材４を間隔をとって二列とし水蒸発部材４の中間部を筒体２の長手方向に沿わせ，その他端を筒体下部に位置せしめて配設する構成からならしめるものである。
【０００５】
【発明の実施の形態】
本発明に係る日除け構造体１の構成要素の一をなす筒体２にはその側面に複数の蒸散孔３又はその長手方向に沿い複数の細長形状の蒸散溝が設けられる。ここで前記蒸散孔３又は蒸散溝は筒体２内に外気を流入させると共に筒体内で発生した冷気を筒体外に放出させるための通路である。しかるに前記蒸散孔３又は蒸散溝は外気の流入及び冷気の放出を容易ならしめるに足る大きさと数とする。ここで筒体２のなす機能は筒体内に配設される水蒸発部材４の保護及び塵埃付着防止にある。
【０００６】
前記筒体２は離間させ各筒体２を平行にして配列させる。ここで前記筒体２の配列は１０ｍｍ以上，３０ｍｍ以下の間隔をもって設けられた開孔を有する筒体上部支持体５と１０ｍｍ以上，３０ｍｍ以下の間隔をもって設けられた開孔又は凹部を有する筒体下部支持体６に筒体２の上端と下端を挿入・固定することによってなさしめられる。ここで前記筒体２の配列は筒体２を一列に配列する場合，ジグザグに配列する場合の他に複数列に配列する場合も含まれる。
【０００７】
前記筒体上部支持体５の側面には給水槽７が付設される。ここで前記給水槽７は筒体内に配設される水蒸発部材４に水を供給するための水槽であり，その水の供給は帯状でなる水蒸発部材４の中間部を給水槽上端，筒体上端，筒体上部支持体５のそれぞれに設けられた懸架溝に懸架し，その一端を給水槽内に沈下させ，毛細管現象を利用して前記懸架溝まで水を吸い上げさせた後，自然落下によって水蒸発部材４の下端又は下端近くまで行きわたらせることによって行なわしめるのである。
前記水蒸発部材４はその中間部を給水槽上端，筒体上端，筒体上部支持体５にその大きさと方向性を一致させて設けられた懸架溝に配設し懸架せしめて筒体上部支持体５及び筒体上端までをも覆う給水槽７の上蓋８の押圧によって水蒸発部材４は固定される。
ここで前記水蒸発部材４はその一端が安定して水槽内に沈下するよう重錘９を取付けることが望ましい。
【０００９】
筒体内では水蒸発部材４はその中間部を筒体２の長手方向に沿わせ，その他端を筒体下部に位置するように配設する。ここで水蒸発部材４は水蒸発部材４が包含する水を蒸発させるための部材であるため水になじみ易い，即ち水と結合し易い性質を具有する高分子化合物からなるものが好適である。その好適例の一としてブドウ糖が結合してできたセルロースからなる木綿布を多重層にして縫い合わせたものがある。また水蒸発部材４は太陽光及び太陽熱を受けてのエネルギー吸収をより高めるべくその色彩は黒色又は黒色系のものが好適である。
【００１０】
【作用】
給水層内に水蒸発部材４の一端を沈下させると水蒸発部材４は給水層内の水を包含し，当該水は毛細管現象により給水層上端，筒体上部支持体５及び筒体上端に設けられた懸架溝まで吸い上げられる。ここで毛細管現象による水の吸い上げ高さは水蒸発部材４を構成する各部材間の間隔に反比例することから前記間隔が小なる程，水の吸い上げ高さは高くなる。ところで給水層７に注入された水の水面は水蒸発部材４への水の供給によって低下するが，かかる水面低下によっても跡切れることなく前記それぞれに設けられた懸架溝まで水を吸い上げさせるに足るだけの間隔のものが本発明に係る日除け構造体１に用いる水蒸発部材４には求められることになる。
【００１１】
給水層７から給水槽上端，筒体上部支持体５，筒体上端のそれぞれに設けられた懸架溝まで吸い上げられた水蒸発部材内に包含される水は前記懸架溝を経由して筒体上端に達せしめた後，筒体上端から重力により水蒸発部材下端に向け緩やかに自然落下していく。
しかるに前記自然落下の過程で水蒸発部材４に包含される水は太陽光及び太陽熱によるエネルギー吸収を受けて液相から気相に変わり，いわゆる水の蒸発が起る。ところで前記水の蒸発時における蒸発熱（気化熱ともいう）Ｑは蒸発する温度によって異なり０〜１８０℃の温度範囲内のｔ℃ではＱ［ｃａｌ／ｇｒ］＝５３９．１−０．６４２８（ｔ−１００）−０．０００８３４（ｔ−１００）２で与えられる。ここで水蒸発部材４に包含される水の温度を５０℃としたときの蒸発熱は前記の式にｔ＝５０を代入すると５６９．１６ｃａｌ／ｇｒとかなり多量の熱量であり，この熱量は筒体内に存在する空気から奪われるため当該空気の温度は必然的に低下することになる。前記温度低下した空気は冷気となって筒体２の蒸散孔３又は蒸散溝から流入した外気によって蒸散孔３又は蒸散溝を通して筒体外方に押し出される。しかるにこの現象が連続して続く限り筒体外方には冷気が連続して放出されることになり，前記冷気の屋内に向けての拡散及び筒体間の間隔を通過する屋内に向けての外気の流通により前記冷気が屋内に押しやられれば屋内の気温は低下することになる。
【００１２】
本発明に係る日除け構造体１においては水蒸発部材４に包含される水が筒体上端から重力により水蒸発部材４の下端に向けて自然落下していく過程の中で水蒸発部材４に包含される水を蒸発させ，水蒸発部材下端から水が滴下しない位置に給水槽７の水面を設定することが求められる。というのは給水槽７の水面が給水槽上端，筒体上部支持体５，筒体上端のそれぞれに設けられた懸架溝より相当に下方であれば水蒸発部材４は毛細管現象により前記懸架溝まで吸い上げさせることができず，そのため筒体内に配設される水蒸発部材４に水を供給することができないからである。逆に給水槽７の水面が前記懸架溝近傍であれば毛細管現象による水の吸い上げが過多になり，筒体内に配設される水蒸発部材４の下端から水が滴下することになり，加えて給水槽７への注水を度々行わなければならないことになる。ところで筒体内に配設される水蒸発部材４からの水の蒸発量は外気温，湿度，風速等によって変動するため筒体上端から水蒸発部材４に供給される水量も前記水の蒸発量に合わせた水量とすることを要する。しかるに前記水量の調整は給水槽内の水面から前記懸架溝までの高さを所定の範囲にすることによって達せられる。具体的には筒体内に配設される積層した木綿布でなる水蒸発部材４の長さが１４５０ｍｍの場合にあっては前記給水槽７内の水面から前記懸架溝までの高さは１００〜２００ｍｍの範囲内で達せられる。
【００１３】
筒体内の水蒸発部材４からの水の蒸発量を左右する要因として外気温，湿度，風向きと風速，筒体の通風性，水の蒸発面積，水蒸発部材４の含水量，水蒸発部材４のエネルギー吸収率等がある。しかるにこれらの要因のうち外気温，湿度，風向きと風速は人為的に変動させることはできないがその他の要因については少なからず人為的に変動させることができる。即ち筒体２の通風性は筒体２に設けられる蒸散孔３又は蒸散溝の大きさとその数を十分にとり，水の蒸発面積は水蒸発部材４の長さ，幅及び配設数を十分にとり，水蒸発部材４の含水量はたっぷり含水する状態にあっては短時間内に十分に水温が上昇しないためたっぷり含水させない，水蒸発部材４のエネルギー吸収率はエネルギー吸収率の高い黒色又は黒色系の色彩を水蒸発部材４に施すことによって相当程度に達せられる。
【００１４】
【実施例】
筒体２として長さ１５００ｍｍ，外径３０ｍｍ（内径２６ｍｍ）その側面に面積比で開孔率３０％で孔径５ｍｍの蒸散孔３を有する透光性合成樹脂でなるものを用いる。また別異の筒体として透光性合成樹脂でなる筒体ではなく同一形態でなる遠赤外線放射材でなる筒体がある。当該筒体は太陽光及び太陽熱からもたらされる太陽エネルギーの吸収率が高いことを受けて用いるものであり，当該筒体の具体例としてアルミニウム又は少なくとも珪素３重量パーセントを含有するアルミニウム合金でなる基材に黒色酸化被膜を形成させたアルマイトからなるものがある。かかる遠赤外線放射材でなる筒体を用いた場合，高い吸収率で太陽エネルギーを吸収する筒体から高い放射率で太陽エネルギーの放出がされるため，透光性はなくても筒体内に配設される水蒸発部材４が吸収する吸収エネルギーは必然的に大となり水蒸発部材４からの水蒸発に有効である。
【００１５】
前記筒体２は間隔１５ｍｍをとってその端部を筒体上部支持体５に設けられた開孔と筒体下部支持体６に設けられた開孔又は凹部に挿入固定し，各筒体を平行にして一列に１５本配列させる。
【００１６】
次に筒体内に配設する水蒸発部材４として筒体内の長さが１４５０ｍｍ，幅２２ｍｍの帯状の木綿布を三重にしミシンで直線状及びジグザグに細かく縫い合わせたものを用いる。また別の実施例としてベルト状でなる水蒸発部材を筒体内で間隔をとって二列に配設するものは水の蒸発面積の拡大，これを受けての水の蒸発量の増大から有効である。
【００１７】
筒体上部支持体５の側面に付設される給水槽７は長時間に亘って水蒸発部材４に水を供給し得るに足る大きさであること要することから少なくとも内容量２リットルのものを用いる。ここで給水槽７への注水は給水槽７の上蓋８に設けられた，注水口１０から行なう。
【００１８】
【発明の効果】
本発明の第一の効果は従来の簾がもたらす目隠し効果に加え，従来の簾がもたらす屋内の気温上昇抑制効果を何ら人工的エネルギーを用いることなく更に高め得たことである。具体的には屋内の気温上昇抑制効果は外気温によって相違するが外気温が高い程顕著であり，外気温３０℃以上では従来の簾との比較でその外方１００ｍｍの地点で本発明に係る日除け構造体の方が少なくとも３℃は低い値を示している。
【００１９】
本発明の第二の効果は太陽光及び太陽熱なる太陽エネルギーを利用しての屋内の気温上昇抑制を図るものであるため前記本発明の第一の効果をもたらさせるに要するコストがきわめて低く，また地球環境破壊要因が皆無なることである。
【００２０】
本発明の第三の効果は本発明に係る日除け構造体で四方を包囲し，屋根に相当するものを付設する用い方をすれば屋外で容易に従来の簾よりもしのぎ易い空間を確保し得ることである。
【図面の簡単な説明】
【図１】は本発明に係る日除け構造体の正面図である。
【図２】は本発明に係る日除け構造体の側面の断面図である。
【図３】は従来の簾の正面図である。
【符号の説明】
１．日除け構造体
２．筒体
３．蒸散孔
４．水蒸発部材
５．筒体上部支持体
６．筒体下部支持体
７．給水槽
８．上蓋
９．重錘
１０．注水口
２１．簾
２２．竹のひご
【図１】
0003546871.tif 000002
【図２】
0003546871.tif 000003
【図３】
0003546871.tif 000004